(57)【要約】【課題】折り曲げ可能で高い防護効果を得るセラミック防護板を提供する。【解決手段】セラミック防護板１は、被覆層により覆われ、複数の第１のセラミック片２、複数の第２のセラミック片３、複数の第３のセラミック片４及び被接着物５を備える。第１のセラミック片２は、直線状に配列されるとともに、少なくとも１組の互いに対称な第１の側辺２１及び第２の側辺２２を有する。第１の側辺２１及び第２の側辺２２のそれぞれは、第１のセラミック片２の頂面２３から下方向へ延びて張り出した斜面である。第２のセラミック片３及び第３のセラミック片４のそれぞれは、直線状に配列されるとともに、第１のセラミック片２の両側に隣接する。第２のセラミック片３及び第３のセラミック片４は、少なくとも１組の互いに対称な第１の側面３１及び第２の側面４２をそれぞれ有する。【選択図】図２
0003196274.tif 000002
【実用新案登録請求の範囲】
【請求項１】
被覆層により覆われ、複数の第１のセラミック片、複数の第２のセラミック片、複数の第３のセラミック片及び被接着物を備えたセラミック防護板であって、
前記第１のセラミック片は、直線状に配列されるとともに、少なくとも１組の互いに対称な第１の側辺及び第２の側辺を有し、前記第１の側辺及び前記第２の側辺のそれぞれは、前記第１のセラミック片の頂面から下方向へ延びて張り出した斜面であり、
前記第２のセラミック片及び前記第３のセラミック片のそれぞれは、直線状に配列されるとともに、前記第１のセラミック片の両側に隣接し、前記第２のセラミック片及び前記第３のセラミック片は、少なくとも１組の互いに対称な第１の側面及び第２の側面をそれぞれ有し、前記第２のセラミック片及び前記第３のセラミック片の前記第１の側面及び前記第２の側面は、前記第２のセラミック片及び前記第３のセラミック片の底面から上方向へ延びて張り出した斜面であり、
前記被接着物は、変形可能である上、前記第１のセラミック片の前記第１の側辺と前記第３のセラミック片の前記第２の側面との間と、前記第１のセラミック片の前記第２の側辺と前記第２のセラミック片の前記第１の側面との間に接着されることを特徴とするセラミック防護板。
【請求項２】
前記第１のセラミック片、前記第２のセラミック片及び前記第３のセラミック片の底面に接着され、複数層の防弾繊維層が積層されて形成されたストップ層をさらに備えることを特徴とする請求項１に記載のセラミック防護板。
【請求項３】
前記第１のセラミック片、前記第２のセラミック片及び前記第３のセラミック片は四角形状のシートであることを特徴とする請求項１又は２に記載のセラミック防護板。
【請求項４】
前記第１のセラミック片、前記第２のセラミック片及び前記第３のセラミック片は六角形状のシートであることを特徴とする請求項１又は２に記載のセラミック防護板。
【考案の詳細な説明】
【技術分野】
【０００１】
本考案は、セラミック防護板に関し、特に、折り曲げ可能で高い防護効果を得るセラミック防護板に関する。
【背景技術】
【０００２】
一般のボディアーマー（又は防弾チョッキ）は、順次接着された被覆層、セラミック板及びストッパ層を含む。被覆層は、シート状の防弾繊維であり、セラミック板は、突き合せて接続した複数のセラミック片で構成され、ストッパ層は、複数の防弾繊維が積層・接着されて形成されている。セラミック板の鈍化、弾丸の捕捉、破壊及び吸収の作用により、セラミック板は、弾頭が貫通する際に発生する大部分のエネルギを消去し、ストッパ層は、弾丸の残部エネルギを吸収して高い防弾効果を得る。
【０００３】
しかし、従来のボディアーマーの各セラミック板を接着した後、固定されて折り曲げることができない平板又は弧形板が形成されるため、各利用者の身体曲線に適用した防護面積を大きくし、完全な保護効果を得ることはできなかった。従来のボディアーマーの各セラミック板を強引に折り曲げた場合、各セラミック板が接着される間隙がＶ字状に形成され、セラミック板間のＶ字状の継ぎ目から弾丸が入り、弾丸の衝撃力に耐える強度がセラミック板自身の強度より大幅に小さいため、防護効果を得ることはできなかった。
【先行技術文献】
【特許文献】
【０００４】
【特許文献１】特開２０１０−２１０２０１号公報
【考案の概要】
【考案が解決しようとする課題】
【０００５】
本考案の目的は、異なるセラミック片の互いに隣接する側辺間に変形可能な被接着物を接着させ、互いに隣接した２つのセラミック片の側辺を互いに交錯させることにより、従来のセラミック板を折り曲げることができない問題点を解決し、様々な体型の利用者でも使用できるようにし、人体の防護面積を大きくして高い防護効果を得るセラミック防護板を提供することにある。
本考案のもう一つの目的は、互いに隣接した２つのセラミック片の側辺を互いに交錯させることにより、従来のセラミック板では、互いに隣接したセラミック片間の隙間から弾丸が撃ち込まれる虞のある防護の死角が発生する問題点を改善し、高い防護効果を得るセラミック防護板を提供することにある。
【課題を解決するための手段】
【０００６】
上記課題を解決するために、本考案の第１の形態によれば、被覆層により覆われ、複数の第１のセラミック片、複数の第２のセラミック片、複数の第３のセラミック片及び被接着物を備えたセラミック防護板であって、前記第１のセラミック片は、直線状に配列されるとともに、少なくとも１組の互いに対称な第１の側辺及び第２の側辺を有し、前記第１の側辺及び前記第２の側辺のそれぞれは、前記第１のセラミック片の頂面から下方向へ延びて張り出した斜面であり、前記第２のセラミック片及び前記第３のセラミック片のそれぞれは、直線状に配列されるとともに、前記第１のセラミック片の両側に隣接し、前記第２のセラミック片及び前記第３のセラミック片は、少なくとも１組の互いに対称な第１の側面及び第２の側面をそれぞれ有し、前記第２のセラミック片及び前記第３のセラミック片の前記第１の側面及び前記第２の側面は、前記第２のセラミック片及び前記第３のセラミック片の底面から上方向へ延びて張り出した斜面であり、前記被接着物は、変形可能である上、前記第１のセラミック片の前記第１の側辺と前記第３のセラミック片の前記第２の側面との間と、前記第１のセラミック片の前記第２の側辺と前記第２のセラミック片の前記第１の側面との間に接着されることを特徴とするセラミック防護板が提供される。
【０００７】
前記第１のセラミック片、前記第２のセラミック片及び前記第３のセラミック片の底面に接着され、複数層の防弾繊維層が積層されて形成されたストップ層をさらに備えることが好ましい。
【０００８】
前記第１のセラミック片、前記第２のセラミック片及び前記第３のセラミック片は四角形状のシートであることが好ましい。
【０００９】
前記第１のセラミック片、前記第２のセラミック片及び前記第３のセラミック片は六角形状のシートであることが好ましい。
【図面の簡単な説明】
【００１０】
【図１】図１は、本考案の第１実施形態に係るセラミック防護板を示す平面図である。
【図２】図２は、図１の線ａ−ａ’に沿った断面図である
【図３】図３は、本考案の第１実施形態に係るセラミック防護板の使用状態の説明図である。
【図４】図４は、本考案の第１実施形態に係るセラミック防護板の使用状態の説明図である。
【図５】図５は、本考案の第２実施形態に係るセラミック防護板を示す断面図である。
【図６】図６は、本考案の第３実施形態に係るセラミック片を示す斜視図である。
【図７】図７は、本考案の第３実施形態に係るセラミック片を示す斜視図である。
【図８】図８は、本考案の第４実施形態に係るセラミック防護板を示す平面図である。
【考案を実施するための形態】
【００１１】
以下、本考案の実施形態について図に基づいて説明する。なお、これによって本考案が限定されるものではない。
【００１２】
本考案の一実施形態に係るセラミック防護板は、被覆層により覆われ、複数の第１のセラミック片、複数の第２のセラミック片及び複数の第３のセラミック片を含む。複数の第１のセラミック片は、直線状に配列されている。第１のセラミック片は、互いに対称な少なくとも１組の第１の側辺及び第２の側辺を有する。第１の側辺及び第２の側辺のそれぞれは、第１のセラミック片の頂面から下方向へ延びて張り出した斜面であり、複数の第２のセラミック片及び複数の第３のセラミック片は、それぞれ直線状に配列されるとともに、複数の第１のセラミック片の両側に隣接する。第２のセラミック片及び第３のセラミック片のそれぞれは、互いに対称な第１の側面及び第２の側面をそれぞれ有する。第２のセラミック片及び第３のセラミック片の第１の側面及び第２の側面は、それぞれ第２のセラミック片及び第３のセラミック片の底面から上方向へ延びて張り出した斜面である。被接着物は、変形可能である上、第１のセラミック片の第１の側辺と第３のセラミック片の第２の側面との間と、第１のセラミック片の第２の側辺と第２のセラミック片の第１の側面との間に接着される。
【００１３】
（第１実施形態）
図１及び図２を参照する。図１及び図２に示すように、本考案の第１実施形態に係るセラミック防護板１は、複数の第１のセラミック片２、複数の第２のセラミック片３、複数の第３のセラミック片４及び被接着物５を含む。第１のセラミック片２、第２のセラミック片３及び第３のセラミック片４のそれぞれは四角形状のシートである。
【００１４】
複数の第１のセラミック片２は、直線状に配列され、互いに対称な１組の第１の側辺２１及び第２の側辺２２を有する。第１の側辺２１及び第２の側辺２２は、第１のセラミック片２の頂面２３から下方向へ延びて張り出した斜面である。複数の第２のセラミック片３及び複数の第３のセラミック片４は、同様に直線状に配列され、複数の第１のセラミック片２の両側に隣接され、第２のセラミック片３は、互いに対称な第１の側面３１，４１を有し、第３のセラミック片４は、互いに対称な第２の側面３２，４２を有する。第２のセラミック片３及び第３のセラミック片４の第１の側面３１，４１及び第２の側面３２，４２は、第２のセラミック片３及び第３のセラミック片４の底面３３，３４から上方向へ延びて張り出した斜面である。被接着物５は、シリコーンなどの変形可能なプラスチックであり、第１のセラミック片２の第１の側辺２１と第３のセラミック片４の第２の側面４２との間と、第１のセラミック片２の第２の側辺２２と第２のセラミック片３の第１の側面３１との間とに接着されている。
【００１５】
図３に示すように、被接着物５は、変形可能な特性を備えているため、第２のセラミック片３及び第３のセラミック片４が第１のセラミック片２に対して下方向へ折り曲げられても、依然として第１のセラミック片２の第１の側辺２１及び第２の側辺２２と緊密に連結されて弧面状に形成され、利用者の様々な身体曲線に適用することができる。図４に示すように、第３のセラミック片４の第２の側面４２及び第２のセラミック片３の第１の側面３１が、第１のセラミック片２の第１の側辺２１及び第２の側辺２２に対して下方向へ折り曲げられ、重なり領域が十分な大きさに維持され、第１の側辺２１及び第２の側辺２２の斜面設計により、弾丸が撃ち込まれる際に発生する衝撃力を弱めて高い防護効果を得る。
【００１６】
（第２実施形態）
図５を参照する。図５に示すように、本考案の第２実施形態に係るセラミック防護服１の複数の第１のセラミック片２、第２のセラミック片３及び第３のセラミック片４の底面には、ストップ層９が接着され、ストップ層９は、防護効果を高めるために複数層の防弾繊維層が積層されて形成されている点が第１実施形態と異なる。
【００１７】
（第３実施形態）
図６及び図７を参照する。図６及び図７に示すように、本考案の第３実施形態に係るセラミック防護板１の第１のセラミック片２は、互いに対称な第１の側辺２１，２１’及び第２の側辺２２，２２’を２組有し、頂面２３から下方向へ延びて張り出した斜面が、四角形状の第１のセラミック片２の４つの側辺に形成されている点が第１実施形態と異なる。第２のセラミック片３及び第３のセラミック片４は、２組の互いに対称な第１の側面３１，３１’，４１，４１’及び第２の側面３２，３２’，４２，４２’をそれぞれ有する。第２のセラミック片３及び第３のセラミック片４の４つの側辺には、第２のセラミック片３及び第３のセラミック片４の底面４３から上方向へ延びて張り出した斜面が形成され、この構造によりそれぞれ隣接した第１のセラミック片２、第２のセラミック片３及び第３のセラミック片４が折り曲げられるが、折り曲げ角度はそれぞれ異なってもよい。
【００１８】
（第４実施形態）
図８を参照する。図８に示すように、本考案の第４実施形態に係るセラミック防護板１の第１のセラミック片６、第２のセラミック片７及び第３のセラミック片８は六角形状のシートである。第１のセラミック片６は、２組の互いに対称な第１の側辺６１，６１’及び第２の側辺６２，６２’を有する。第２のセラミック片７及び第３のセラミック片８は、２組の互いに対称な第１の側面７１，７１’，８１，８１’及び第２の側面７２，７２’，８２，８２’をそれぞれ有し、第２のセラミック片７及び第３のセラミック片８が第１のセラミック片６に対して下方向へ折り曲げられて弧面状に形成されている。
【００１９】
本考案のセラミック防護板は、以下（１）及び（２）の長所を有する。
（１）互いに隣接した２つのセラミック片の側辺を互いに交錯させ、互いに隣接したセラミック片を折り曲げ、湾曲した弧面又は曲面を形成し、様々な体型の利用者でも使用できるようにし、人体の防護面積を大きくする。
（２）互いに隣接した２つのセラミック片の側辺を互いに交錯させ、互いに隣接したセラミック片を折り曲げて十分な積層領域が維持され、第１の側辺及び第２の側辺を斜面に形成することにより、撃ち込まれる弾丸の衝撃力を分散させて高い防護効果を得ることができる。
【００２０】
上述したことから分かるように、本考案のセラミック防護板は、湾曲されて円弧面又は曲面に形成されて異なる体型の利用者でも利用できる上、弾丸が撃ち込まれる際に、隣接したセラミック片間の隙間から内側へ入り込むことを防いで防弾効果を得ることができる。産業上の利用価値があるため、ここに法に依り実用新案を提出する。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  セラミック防護板
２  第１のセラミック片
３  第２のセラミック片
４  第３のセラミック片
５  被接着物
６  第１のセラミック片
７  第２のセラミック片
８  第３のセラミック片
９  ストップ層
２１  第１の側辺
２１’  第１の側辺
２２  第２の側辺
２２’  第２の側辺
２３  頂面
３１  第１の側面
３１’  第１の側面
３２  第２の側面
３２’  第２の側面
３３  底面
３４  底面
４１  第１の側面
４１’  第１の側面
４２  第２の側面
４２’  第２の側面
４３  底面
６１  第１の側辺
６１’  第１の側辺
６２  第２の側辺
６２’  第２の側辺
７１  第１の側面
７１’  第１の側面
７２  第２の側面
７２’  第２の側面
８１  第１の側面
８１’  第１の側面
８２  第２の側面
８２’  第２の側面
【図１】
0003196274.tif 000003
【図２】
0003196274.tif 000004
【図３】
0003196274.tif 000005
【図４】
0003196274.tif 000006
【図５】
0003196274.tif 000007
【図６】
0003196274.tif 000008
【図７】
0003196274.tif 000009
【図８】
0003196274.tif 000010